(57)【特許請求の範囲】
【請求項１】
ユーザー操作に応じて表示部にアニメーションを再生表示し、アニメーションの再生表示中に当該アニメーションの再生表示とは無関係の異常の発生を通知するための割込み表示を要するイベントが発生した場合に、前記表示部に当該イベントに対応する割込み表示をする画像処理装置であって、
前記イベントの発生を監視するイベント監視手段と、
再生表示中のアニメーションの進捗度を監視するアニメーション監視手段と、
前記イベントが発生した場合に、前記アニメーションの再生表示を停止する停止手段と、
停止時の前記アニメーションの進捗度を取得する取得手段と、
前記割込表示の解除指示を受け付ける受付手段と、
前記解除指示があった場合に、前記停止時の前記進捗度から前記停止時に再生表示されたフレームを特定し、再生表示を開始すべき再生表示開始フレームが、特定したフレームよりも再生表示順が後ろのフレームにならないように再生表示開始フレームを決定し、前記割込み表示を解除して決定したフレームから前記アニメーションの再生表示を開始する再生表示開始制御手段と、を備え、
前記再生表示開始制御手段は、前記取得手段が取得した前記進捗度が閾値を超えている場合には、前記再生表示開始フレームを先頭のフレームに決定し、閾値を超えていない場合には、前記再生表示開始フレームを、前記停止時に再生表示されたフレームに決定する決定処理を行う
ことを特徴とする画像処理装置。
【請求項２】
ユーザー操作に応じて表示部にアニメーションを再生表示し、アニメーションの再生表示中に当該アニメーションの再生表示とは無関係の異常の発生を通知するための割込み表示を要するイベントが発生した場合に、前記表示部に当該イベントに対応する割込み表示をする画像処理装置であって、
前記イベントの発生を監視するイベント監視手段と、
再生表示中のアニメーションの進捗度を監視するアニメーション監視手段と、
前記イベントが発生した場合に、前記アニメーションの再生表示を停止する停止手段と、
停止時の前記アニメーションの進捗度を取得する取得手段と、
前記割込表示の解除指示を受け付ける受付手段と、
前記解除指示があった場合に、前記停止時の前記進捗度から前記停止時に再生表示されたフレームを特定し、再生表示を開始すべき再生表示開始フレームが、特定したフレームよりも再生表示順が後ろのフレームにならないように再生表示開始フレームを決定し、前記割込み表示を解除して決定したフレームから前記アニメーションの再生表示を開始する再生表示開始制御手段と、を備え、
前記アニメーションは、前記ユーザー操作に応じて前記画像処理装置において当該アニメーションの再生表示とともに実行される所定の処理の進行状態を示し、
前記所定の処理の進行度を監視する処理監視手段を備え、
前記再生表示開始制御手段は、前記解除指示があったときに前記所定の処理が進行中である場合には、前記再生表示開始フレームを、前記停止時に再生表示されたフレームに決定し、決定したフレームから前記アニメーションの再生表示を開始したと仮定した場合に、当該所定の処理が完了するまでに再生表示中の前記アニメーションの示す前記進行状態に対応する前記所定の処理の進行度が、現在進行中の前記所定の処理の進行度に到達することが可能な再生表示速度で決定したフレームから前記アニメーションの再生表示を開始する
ことを特徴とする画像処理装置。
【請求項３】
前記解除指示があった時点において、前記所定の処理が完了している場合には、前記再生表示開始制御手段は、前記取得手段が取得した前記進捗度が閾値を超えている場合には、前記再生表示開始フレームを先頭のフレームに決定し、前記進捗度が前記閾値を超えていない場合には、前記再生表示開始フレームを、前記停止時に再生表示されたフレームに決定し、
前記停止時までの再生表示速度よりも速い速度で決定したフレームから前記アニメーションを再生表示する
ことを特徴とする請求項２記載の画像処理装置。
【請求項４】
画像データに基づく未定着画像を記録シート上に形成して熱定着する画像形成部を備え、
前記イベントは、前記画像形成部における異常である
ことを特徴とする請求項１〜３の何れかに記載の画像処理装置。
【請求項５】
ユーザー操作に応じて表示されるアニメーションは、複数種類であり、
前記閾値は、表示されるアニメーションの種類毎に設定されている
ことを特徴とする請求項１記載の画像処理装置。
【請求項６】
ユーザー操作に応じて表示部にアニメーションを再生表示し、アニメーションの再生表示中に当該アニメーションの再生表示とは無関係の異常の発生を通知するための割込み表示を要するイベントが発生した場合に、前記表示部に当該イベントに対応する割込み表示をする画像処理装置であって、
前記イベントの発生を監視するイベント監視手段と、
再生表示中のアニメーションの進捗度を監視するアニメーション監視手段と、
前記イベントが発生した場合に、前記アニメーションの再生表示を停止する停止手段と、
停止時の前記アニメーションの進捗度を取得する取得手段と、
前記割込表示の解除指示を受け付ける受付手段と、
前記解除指示があった場合に、前記停止時の前記進捗度から前記停止時に再生表示されたフレームを特定し、再生表示を開始すべき再生表示開始フレームが、特定したフレームよりも再生表示順が後ろのフレームにならないように再生表示開始フレームを決定し、前記割込み表示を解除して決定したフレームから前記アニメーションの再生表示を開始する再生表示開始制御手段と、を備え、
ユーザー操作に応じて前記表示部に再生表示されるアニメーションは、複数種類であり、
前記複数種類のアニメーションには、ユーザーのスクロール操作に応じてアニメーションが動くスクロールアニメーションが含まれ、
前記イベントの発生時に前記スクロールアニメーションが再生表示中である場合には、
前記停止手段は、前記スクロールアニメーションの再生表示を停止する処理を抑止し、
前記再生表示開始制御手段は、前記スクロールアニメーションの再生表示を開始すべきフレームを決定する決定処理、及び前記スクロールアニメーションの再生表示を開始する処理の実行を抑止する
ことを特徴とする画像処理装置。
【発明の詳細な説明】
【技術分野】
【０００１】
本発明は、ユーザー操作に応じてアニメーションを再生表示し、アニメーション再生表示中に割込み表示を要するイベントが発生した場合に、当該イベントに対応する割込み表示を行う画像処理装置における、アニメーションの再生表示を制御する技術に関する。
【背景技術】
【０００２】
近年、プリンター、複写機等の画像形成装置においては、操作パネルの表示パーフォー
マンスを向上させ、ユーザーの利便性をよりよくするという観点から、アニメーションの
再生表示機能を有するものが広く利用されるようになってきている。
例えば、操作パネルに表示される操作ボタンを選択し、対応付けられているウィンドウ
を開く場合に、最初に操作ボタンの近傍に小さなウィンドウがポップアップ表示され、そ
れが時間の経過とともにバルーンが膨らむように徐々に大きくなって最終的に対応する操
作画面を表示するウィンドウが操作パネルに表示されるといったアニメーションの再生表
示が行われる。
【０００３】
これにより、ユーザーが選択した操作ボタンに対応する処理が実行されていることを、
ユーザーがアニメーションを介して視認できるようにすることができ、操作ボタンに対応
する処理動作の確認におけるユーザーの利便性を向上させることができる。
又、別の例として、ユーザーが、画像形成装置に特定の処理、例えば、ファイル転送処
理を実行させているような場合に、ファイルの転送処理（ダウンロード）の進行状態を示
すアニメーションが操作パネルに再生表示される。これにより、ユーザーは、アニメーシ
ョンを介して、当該ダウンロードの進行度を容易に確認することができる。
【先行技術文献】
【特許文献】
【０００４】
【特許文献１】２０１１−１７５３２３号公報
【発明の概要】
【発明が解決しようとする課題】
【０００５】
しかしながら、画像形成装置のようにアニメーションの再生表示機能以外の様々な機能を実行可能な画像処理装置においては、上記のようなアニメーションの再生表示中にアニメーションの再生表示処理とは関わりのない他の処理（例えば、画像形成処理）が並行して実行されていて当該他の処理の実行中に何らかの異常（例えば、用紙切れ）が発生し、アニメーションの再生表示が、当該異常の発生をユーザーに通知するための割込み画像の表示（以下、「割込み表示」という。）に切り替えられる場合が生じる。
【０００６】
このような場合に、当該異常を解消する措置がとられて、割込み表示への切り替えが解除されたときには、既にアニメーションの再生表示が終了してしまっていて、再生表示していたアニメーションを最後まで視聴できないという不具合が生じる。
又、当該再生表示が終了していない場合においても、アニメーションの表示に切り替えられた時には、既にアニメーションの再生表示が終了間際まで進行していて、表示切替後、瞬時に当該再生表示が終了してしまい、ユーザーにとってアニメーションの内容を認識しづらいという不具合が生じる。
【０００７】
当該異常の発生後も、割込み表示とともにアニメーションを継続して表示することも考えられるが、例えば、画像形成装置の操作パネルのように表示画面上の表示スペースが制約される場合、割込み表示とアニメーションの表示の両方を表示すると、ユーザーがアニメーションの表示を見づらくなるという不具合が生じる。
本発明は、上述のような問題に鑑みて為されたものであって、アニメーションの再生表示中に割込み表示があった場合においても、割込み表示解除後のユーザーのアニメーションの視聴の利便性が損なわれないようにすることが可能な画像処理装置を提供することを目的とする。
【課題を解決するための手段】
【０００８】
上記目的を達成するため、本発明の一形態に係る画像処理装置は、ユーザー操作に応じて表示部にアニメーションを再生表示し、アニメーションの再生表示中に当該アニメーションの再生表示とは無関係の異常の発生を通知するための割込み表示を要するイベントが発生した場合に、前記表示部に当該イベントに対応する割込み表示をする画像処理装置であって、前記イベントの発生を監視するイベント監視手段と、再生表示中のアニメーションの進捗度を監視するアニメーション監視手段と、前記イベントが発生した場合に、前記アニメーションの再生表示を停止する停止手段と、停止時の前記アニメーションの進捗度を取得する取得手段と、前記割込表示の解除指示を受け付ける受付手段と、前記解除指示があった場合に、前記停止時の前記進捗度から前記停止時に再生表示されたフレームを特定し、再生表示を開始すべき再生表示開始フレームが、特定したフレームよりも再生表示順が後ろのフレームにならないように再生表示開始フレームを決定し、前記割込み表示を解除して決定したフレームから前記アニメーションの再生表示を開始する再生表示開始制御手段と、を備え、前記再生表示開始制御手段は、前記取得手段が取得した前記進捗度が閾値を超えている場合には、前記再生表示開始フレームを先頭のフレームに決定し、閾値を超えていない場合には、前記再生表示開始フレームを、前記停止時に再生表示されたフレームに決定する決定処理を行うこととすることができる。
又、前記画像処理装置は、画像データに基づく未定着画像を記録シート上に形成して熱定着する画像形成部を備え、前記イベントは、前記画像形成部における異常であることとすることができる。
【０００９】
又、ユーザー操作に応じて前記表示部に再生表示されるアニメーションは、複数種類であり、前記複数種類のアニメーションには、ユーザーのスクロール操作に応じてアニメーションが動くスクロールアニメーションが含まれ、前記イベントの発生時に前記スクロールアニメーションが再生表示中である場合には、前記停止手段は、前記スクロールアニメーションの再生表示を停止する処理を抑止し、前記再生表示開始制御手段は、前記スクロールアニメーションの再生表示を開始すべきフレームを決定する決定処理、及び前記スクロールアニメーションの再生表示を開始する処理の実行を抑止することとすることができる。
【発明の効果】
【００１０】
上記構成を備えることにより、アニメーションの再生表示中に割込み表示を要するイベントが発生した場合に、割込み表示中にアニメーションの再生表示が進行しないように当該再生表示が停止され、割込み表示が解除された後、アニメーションの停止時のフレーム位置を超えないように、アニメーションの再生表示を開始すべきフレーム位置が決定され、決定されたフレーム位置からアニメーションの再生表示が開始されるように制御される。
【００１１】
従って、ユーザーは、割込み表示の解除後、アニメーションの表示内容の一部を見逃すことなく、アニメーションを視聴することができ、アニメーション全体の内容を把握することができる。その結果、割込み表示後もアニメーションが進行して、割込み表示が解除された時には、既にアニメーションが終了していたり、アニメーションが終了間際まで進行していて瞬時に終了してしまったりして、ユーザーがアニメーション全体の内容を把握することができず、アニメーションの視聴におけるユーザーの利便性が損なわれるという事態が生じないようにすることができる。
【００１２】
また、本発明の一形態に係る画像処理装置は、ユーザー操作に応じて表示部にアニメーションを再生表示し、アニメーションの再生表示中に当該アニメーションの再生表示とは無関係の異常の発生を通知するための割込み表示を要するイベントが発生した場合に、前記表示部に当該イベントに対応する割込み表示をする画像処理装置であって、前記イベントの発生を監視するイベント監視手段と、再生表示中のアニメーションの進捗度を監視するアニメーション監視手段と、前記イベントが発生した場合に、前記アニメーションの再生表示を停止する停止手段と、停止時の前記アニメーションの進捗度を取得する取得手段と、前記割込表示の解除指示を受け付ける受付手段と、前記解除指示があった場合に、前記停止時の前記進捗度から前記停止時に再生表示されたフレームを特定し、再生表示を開始すべき再生表示開始フレームが、特定したフレームよりも再生表示順が後ろのフレームにならないように再生表示開始フレームを決定し、前記割込み表示を解除して決定したフレームから前記アニメーションの再生表示を開始する再生表示開始制御手段と、を備え、前記アニメーションは、前記ユーザー操作に応じて前記画像処理装置において当該アニメーションの再生表示とともに実行される所定の処理の進行状態を示し、前記所定の処理の進行度を監視する処理監視手段を備え、前記再生表示開始制御手段は、前記解除指示があったときに前記所定の処理が進行中である場合には、前記再生表示開始フレームを、前記停止時に再生表示されたフレームに決定し、決定したフレームから前記アニメーションの再生表示を開始したと仮定した場合に、当該所定の処理が完了するまでに再生表示中の前記アニメーションの示す前記進行状態に対応する前記所定の処理の進行度が、現在進行中の前記所定の処理の進行度に到達することが可能な再生表示速度で決定したフレームから前記アニメーションの再生表示を開始することとしてもよい。
【００１３】
これにより、割込み表示イベント発生時に再生表示されているアニメーションが、当該アニメーションの再生表示とともに実行される所定の処理の進行状態を示すアニメーションであって、割込み表示の解除指示があった時に当該所定の処理が進行中である場合には、再生表示開始フレームが、当該アニメーションの再生表示の停止時に再生表示されたフレームに決定され、決定されたフレームから当該アニメーションの再生表示を開始したと仮定した場合に、当該所定処理の完了時までに再生表示中のアニメーションの示す進行状態に対応する所定の処理の進行度が、現在進行中の前記所定の処理の進行度に到達することが可能な再生表示速度で決定したフレームから当該アニメーションの再生表示を開始することができる。
その結果、アニメーションの再生表示を停止したことに起因して、アニメーションの示す進行状態に対応する所定の処理の進行度と、当該処理の実際の進行度との間に不一致が生じた状態を、当該アニメーションの再生表示中に解消し、ユーザーのアニメーションの視聴における利便性をさらに向上させることができる。
【００１４】
また、本発明の一形態に係る画像処理装置は、ユーザー操作に応じて表示部にアニメーションを再生表示し、アニメーションの再生表示中に当該アニメーションの再生表示とは無関係の異常の発生を通知するための割込み表示を要するイベントが発生した場合に、前記表示部に当該イベントに対応する割込み表示をする画像処理装置であって、前記イベントの発生を監視するイベント監視手段と、再生表示中のアニメーションの進捗度を監視するアニメーション監視手段と、前記イベントが発生した場合に、前記アニメーションの再生表示を停止する停止手段と、停止時の前記アニメーションの進捗度を取得する取得手段と、前記割込表示の解除指示を受け付ける受付手段と、前記解除指示があった場合に、前記停止時の前記進捗度から前記停止時に再生表示されたフレームを特定し、再生表示を開始すべき再生表示開始フレームが、特定したフレームよりも再生表示順が後ろのフレームにならないように再生表示開始フレームを決定し、前記割込み表示を解除して決定したフレームから前記アニメーションの再生表示を開始する再生表示開始制御手段と、を備え、前記解除指示があった時点において、前記所定の処理が完了している場合には、前記再生表示開始制御手段は、前記取得手段が取得した前記進捗度が閾値を超えている場合には、前記再生表示開始フレームを先頭のフレームに決定し、前記進捗度が前記閾値を超えていない場合には、前記再生表示開始フレームを、前記停止時に再生表示されたフレームに決定し、前記停止時までの再生表示速度よりも速い速度で決定したフレームから前記アニメーションを再生表示することとしてもよい。
【００１５】
これにより、割込み表示イベント発生時に再生表示されているアニメーションが、当該アニメーションの表示処理とともに実行される所定の処理の進行状態を示すアニメーションであって、割込み表示の解除指示があった時に所定の処理が完了している場合には、当該アニメーションが、停止時までの再生表示速度よりも速度で決定されたフレームから再生表示されるので、ユーザーは、当該解除指示後に再生表示されるアニメーションの内容を短時間で視聴し終えることができ、迅速に所定の処理が完了したことを確認することができる。
【００１６】
ここで、ユーザー操作に応じて表示されるアニメーションは、複数種類であり、
前記閾値は、表示されるアニメーションの種類毎に設定されていることとしてもよい。
これにより、アニメーションの種類に応じて再生表示開始フレームを適切に決定することができ、ユーザー側の割込み表示解除後のアニメーションの視聴の利便性をより向上させることができる。
【図面の簡単な説明】
【００１７】
【図１】本実施の形態に係る画像形成装置の外観を示す斜視図である。
【図２】画像形成装置１の構成を示す機能ブロック図である。
【図３】操作パネル制御部１０４の構成を示す機能ブロック図である。
【図４】「バルーンアニメーション」の表示例を示す。
【図５】「プログレッシブバー」の表示例を示す。
【図６】割込み表示イベント監視部８と監視対象との関係を示す図である。
【図７】操作パネル制御部１０４が行うアニメーション再生表示制御処理の動作を示すフローチャートである。
【図８】アニメーション再生表示停止処理の動作を示すフローチャートである。
【図９】アニメーション再生表示開始処理の動作を示すフローチャートである。
【発明を実施するための形態】
【００１８】
(実施の形態)
以下、本発明に係る一形態の画像処理装置の実施の形態を、タンデム型画像形成装置（以下、単に「画像形成装置」という。）に適用した場合を例にして説明する。
［１］画像形成装置の構成
図１は、本実施の形態に係る画像形成装置の外観を示す斜視図である。同図の符号１は、画像形成装置を示し、符号６は、操作パネルを示す。同図に示すように、操作パネル６は、点線矢印Ａで示す、画像形成装置１の正面側の上部に設けられている。
【００１９】
図２は、画像形成装置１の構成を示す機能ブロック図である。画像形成装置１は、制御部１０、画像プロセス部３、給紙部４、定着装置５、操作パネル６、画像読取部７、割込み表示イベント監視部８等から構成される。
制御部１０は、所謂コンピュータであって、ＣＰＵ１００、通信インターフェース（Ｉ／Ｆ）部１０１、ＲＯＭ１０２、ＲＡＭ１０３、操作パネル制御部１０４、ダウンロード実行部１０５、画像メモリ１０６、フレーム位置特定テーブル記憶部１０７、アニメーション情報記憶部１０８等から構成され、画像形成装置１の全体の動作を制御する。
【００２０】
通信Ｉ／Ｆ部１０１は、ＬＡＮカード、ＬＡＮボードといったＬＡＮ（Local Area Network）に接続するためのインターフェースである。ＲＯＭ１０２には、画像プロセス部３、給紙部４、定着装置５、操作パネル６、画像読取部７、割込み表示イベント監視部８等を制御するための制御プログラム、後述するアニメーション表示制御処理を実行するためのプログラム等が格納されている。ＲＡＭ１０３は、ＣＰＵ１００のプログラム実行時のワークエリアとして用いられる。
【００２１】
操作パネル制御部１０４は、アニメーション表示や割込み表示等の操作パネル６の表示を制御する。図３は、操作パネル制御部１０４の構成を示す機能ブロック図である。同図に示すように、操作パネル制御部１０４は、イベント発生通知受取部１０４１、ダウンロード進行度監視部１０４２、表示制御部１０４３、アニメーション進捗状況監視部１０４４、割込み解除指示受取部１０４５から構成される。
【００２２】
イベント発生通知受取部１０４１は、割込み表示イベント発生時に割込み表示イベント監視部８から送信される割込み表示イベント発生通知を受け取り、当該イベント発生通知を表示制御部１０４３に通知する。割込み表示イベント発生通知は、記録シートの用紙切れ、ジャム、現像機内のトナー切れの発生や、画像形成装置１の扉が開いていることが、後述する各種のセンサーにより検出された場合に、割込み表示イベント監視部８から出力される、表示制御部１０４３に異常の発生を通知する割込み表示を表示させるための通知である。
【００２３】
表示制御部１０４３は、通知された割込み表示イベント発生通知に対応する割込み表示を示す画像（例えば、用紙切れが発生したことを示す画像、以下、総称して「割込み画像」という。）を示す割込み画像データを画像メモリ１０６から読み出して、操作パネル６に割込み表示をする。
ダウンロード進行度監視部１０４２は、ＬＡＮを介して画像形成装置１と接続されているサーバーからのファイル転送処理の実行が、操作パネル６を介して指示された場合に、サーバーからのファイルの転送処理（ダウンロード）の進行度を監視する。具体的には、転送指示された総ファイル数（Ｎ０）の内、画像形成装置１へのダウンロードが完了したファイル数（Ｎ）を監視し、総ファイル数（Ｎ０）に対するダウンロード完了ファイル数（Ｎ）の割合を百分率で算出して、算出結果（（１００Ｎ）／Ｎ０）をダウンロードの進行度として表示制御部１０４３に通知する。
【００２４】
アニメーション進捗状況監視部１０４４は、アニメーションの再生表示の進捗度を監視し、表示制御部１０４３に当該進捗度を通知する。上記の進捗度は、例えば、アニメーションの再生表示が開始されてからの時間を計測し、計測した時間（ｔ）の当該アニメーションの表示処理に要する時間（当該アニメーションの再生表示の開始から終了までの時間（ｔ０））に対する割合を百分率で算出することにより取得することができる。すなわち、（１００ｔ）／ｔ０を上記の進捗度とすることができる。
【００２５】
或いは、アニメーションの再生表示が開始されてからの再生表示済みのフレーム数をカウントし、当該カウント値（ｆ）の当該アニメーションの総フレーム数（ｆ０）に対する割合を百分率で算出することにより取得することができる。すなわち、（１００ｆ）／ｆ０を上記の進捗度とすることができる。
割込み解除指示受取部１０４５は、操作パネル６に割込み表示がされる時に、割込み表示に重畳表示される割込み解除ボタンが、ユーザーにより選択されることにより、操作パネル６から出力される割込み解除指示を受け取り、表示制御部１０４３に通知する。
【００２６】
表示制御部１０４３は、操作パネル６の表示を制御し、アニメーションの再生表示、割込み表示、割込み解除ボタン、操作ボタン等の表示等を制御する。アニメーションとしては、ここでは、表示制御部１０４３は、操作パネル６からのユーザー操作に応じて「バルーンアニメーション」、「スライドアニメーション」、「プログレッシブバー」の３種類のアニメーションを再生表示するものとする。
【００２７】
上記の３種類のアニメーションは、ユーザーが操作パネル６に表示された操作ボタンを選択することにより、アニメーション再生表示指示が入力されたときに再生表示されるアニメーションである。
「バルーンアニメーション」とは、ユーザーが操作パネル６に表示された、当該アニメーションに対応する操作ボタンを選択したときに、当該操作ボタンに対応付けられた操作画面に画面を遷移する際に再生表示されるアニメーションであって、図４（ａ）〜（ｆ）に示すように、操作ボタンの選択に応じて、操作ボタンの近傍に小さなウィンドウをポップアップ表示し、それが時間の経過とともにバルーンが膨らむように徐々に大きくなって最終的に対応する操作画面を膨らんだウィンドウに表示するアニメーションのことをいう。
【００２８】
図４（ａ）〜（ｆ）の符号４１は、選択された操作ボタンを示し、符号４２は、ポップ
アップ表示ウィンドウを示す。
「スライドアニメーション」とは、ユーザーが操作パネル６に表示された、当該アニメーションに対応する操作ボタンを選択したときに、当該操作ボタンに対応する操作画面を、水平方向に徐々にスライドさせて、当該操作画面が徐々に操作パネル６の表示画面に現れるようにしてゆき、最終的に操作パネル６の表示画面に当該操作画面全体を表示するアニメーションのことをいう。
「プログレッシブバー」とは、所定の処理（ここでは、例えば、ファイル転送処理とする。）の進行状態を示すアニメーションであって、ユーザーが操作パネル６に表示されたファイル転送処理を指示する操作ボタンを選択したときに再生表示されるアニメーションである。当該アニメーションにおいては、当該ファイルの転送処理（ダウンロード）が開始されると、図５（ａ）〜（ｆ）に示すように、当該ファイルのダウンロードの進行度に応じた目盛バーが再生表示される。図５（ａ）〜（ｆ）の符号５１は、「プログレッシブバー」のアニメーションの再生表示画面を示し、符号５２は、「目盛バー」の表示を示す。
上記の各アニメーションを構成する各フレームのフレーム画像データは、画像メモリ１０６に記憶されている。表示制御部１０４３は、「バルーンアニメーション」、「スライドアニメーション」については、当該アニメーションの再生表示指示が、操作パネル６に表示される操作ボタンの選択操作により、ユーザーから受け付けられると、画像メモリ１０６から指示されたアニメーションのフレーム画像を読み出し、デフォルトのフレームレートで操作パネル６に再生表示する。
【００２９】
又、「プログレッシブバー」の再生表示の場合には、表示制御部１０４３は、ファイルのダウンロードの進行度を周期的にダウンロード進行度監視部１０４２より取得し、取得した進行度に対応するフレーム画像データを画像メモリ１０６から読み出して、操作パネル６に再生表示する。すなわち、「プログレッシブバー」の再生表示の表示処理速度は、ファイルのダウンロードの速度に応じて変化する。なお、後述する「追いかけ再生表示」を実行する場合には、選択可能な複数のフレームレートから当該表示処理速度が選択される。
【００３０】
具体的には、ファイルのダウンロードの進行度と「プログレッシブバー」のアニメーションを構成する各フレームのフレーム画像データのフレーム番号との対応関係を示すフレーム位置特定テーブルをフレーム位置特定テーブル記憶部１０７に記憶させておき、表示制御部１０４３は、ダウンロード進行度監視部１０４２よりファイルのダウンロードの進行度を周期的に（例えば、１００ミリ秒周期で）取得する毎に、直前の進行度より進行した分だけ、対応するフレーム番号のフレーム画像データを画像メモリ１０６から順次読み出して、操作パネル６に再生表示する。
【００３１】
例えば、画像メモリ１０６に１％刻みで進行度に対応するフレーム画像データが記憶されている場合において、ファイルのダウンロードの進行度が２５％から２７％に進行した場合には、表示制御部１０４３は、画像メモリ１０６から２６％、２７％の各進行度に対応するフレーム番号のフレーム画像を順次読み出して操作パネル６に再生表示する。
これにより、ファイルのダウンロードの進行度に追随するように、当該進行度が、「プログレッシブバー」のアニメーションの「目盛バー」に表示される。
【００３２】
又、表示制御部１０４３は、アニメーションの再生表示中に割込み表示イベント発生通知があると、アニメーションの再生表示を停止し、当該通知に対応する割込み表示を操作パネル６に表示するとともに、アニメーション進捗状況監視部１０４４から停止時のアニメーションの再生表示の進捗度（Ｐ）を取得し、取得した進捗度（Ｐ）からアニメーションを停止した時に再生表示されたフレーム（以下、「停止フレーム」という。）を、当該停止フレームの位置（フレーム画像データのフレーム番号）により特定し、当該位置（以下、「停止フレーム位置」という。）を保持する。
【００３３】
そして、割込み解除指示があると、再生制御部１０４３は、割込み表示を非表示にして、取得したＰに応じて、停止したアニメーションの再生表示を開始すべきフレーム（以下、「再生表示開始フレーム」という。）が、停止フレームよりも再生表示の順番（以下、「再生表示順」という。）が後ろのフレームにならないように、当該アニメーションを構成するフレームの内から再生表示開始フレームを決定する。
【００３４】
具体的には、当該アニメーションが、「バルーンアニメーション」又は「スライドアニメーション」の場合には、表示制御部１０４３は、取得したＰが、進捗度の閾値（ここでは、例えば、２０％とする。）を超えている場合には、表示制御部１０４３は、当該アニメーションを構成するフレームの内、再生表示順が先頭のフレームを、再生表示開始フレームとして決定し、当該閾値を超えていない場合には、停止フレームを、再生表示開始フレームとして決定する。
【００３５】
当該アニメーションが、「プログレッシブバー」である場合には、表示制御部１０４３は、ダウンロード進行度監視部１０４２から、ダウンロード進行度を取得してファイルのダウンロードが実行中であるか否かを判定する。ダウンロードが実行中である場合には、取得した当該アニメーションの再生表示の進捗度（Ｐ）に関わらず停止フレームを、再生表示開始フレームとして決定し、ファイルのダウンロードが完了している場合には、「バルーンアニメーション」、「スライドアニメーション」の場合と同様にして再生表示開始フレームを決定する。
【００３６】
そして、ファイルのダウンロードが実行中の場合には、さらに、再生制御部１０４３は、再生表示するアニメーションのフレームが、停止フレームから実行中のファイルのダウンロードの進行度に対応するフレームの位置（フレーム画像データのフレーム番号）に到達するまで、「プログレッシブバー」のアニメーションの「追いかけ再生表示」を実行する。
【００３７】
具体的には、ファイルのダウンロードの現在の進行度（Ｑ）及びファイルのダウンロードの開始から現在の進行度（Ｑ）に至るまでの経過時間（ｔｓ）に基づいて、ファイルのダウンロードが完了するまでの予測残り時間（ｔｒ＝１００／Ｑ×ｔｓ）を算出し、さらに取得したＰから停止したアニメーションの残りフレーム数（Ｆｒ＝（アニメーションの総フレーム数）×（１００−Ｐ）／１００）を算出し、算出した両者の値から、当該ダウンロードが完了するまでに、アニメーションの示す進行状態（ファイルのダウンロードの進行度）が、現在実行中（進行中）のファイルのダウンロードの進行度に追いつくことが可能な最小の表示処理速度（Ｆｒ／ｔｒ）を算出する。
【００３８】
そして、選択可能な表示処理速度（フレームレート）の中から、Ｆｒ／ｔｒ以上となる最小のフレームレートを選択し、再生表示するアニメーションのフレームが、停止フレームから現在進行中のファイルのダウンロードの進行度に対応するフレームの位置に到達するまで、選択したフレームレートで当該アニメーションの再生表示を実行することにより、「追いかけ再生表示」を実行する。
【００３９】
Ｆｒ／ｔｒ以上となる最小のフレームレートを選択するのは、再生表示したときにユーザーがアニメーションの内容を把握しやすいようにするためである。再生表示のフレームレートが速くなるほど、アニメーションのフレームが速く切り替わるため、ユーザーがアニメーションの内容を把握しづらくなるからである。
一方、ファイル転送処理が完了している場合には、さらに、再生制御部１０４３は、決定した再生表示開始フレームから最終フレームまで、「プログレッシブバー」のアニメーションの「早送り再生表示」を実行する。
【００４０】
具体的には、取得したＰ及び当該アニメーションの再生表示停止時までの再生表示時間から、当該再生表示停止時までの平均表示処理速度（Ｆａｖ）を算出し、選択可能な表示処理速度（フレームレート）から、Ｆａｖより大きい最小のフレームレートを選択し、選択したフレームレートで、決定した再生表示開始フレームから最終フレームまでアニメーションの再生表示を実行することにより、「早送り再生表示」を実行する。最小のフレームレートを選択する理由は、Ｆｒ／ｔｒ以上となる最小のフレームレートを選択する場合と同様である。
なお、再生制御部１０４３が行う上記のアニメーションの表示制御処理については、後述するアニメーション表示制御処理の説明において詳述する。
【００４１】
図２の説明に戻って、ダウンロード実行部１０５は、操作パネル６を介してユーザーから、ファイル転送処理の指示を受け付けると、通信Ｉ／Ｆ部１０１を介して外部サーバーから指示されたファイルをダウンロードして画像メモリ１０６に記憶させる。
画像メモリ１０６は、印刷用の画像データ、「バルーンアニメーション」、「スライドアニメーション」、「プログレッシブバー」の各アニメーションを構成するフレームのフレーム画像データ、各割込み発生通知に対応する割込み画像を示す割込み画像データ、外部サーバーから転送されたファイル等を記憶する。フレーム位置特定テーブル記憶部１０７は、フレーム位置特定テーブルを記憶している。
【００４２】
アニメーション情報記憶部１０８は、「バルーンアニメーション」、「スライドアニメーション」、「プログレッシブバー」の各アニメーションに関する属性情報を記憶している。具体的には、各アニメーションの再生表示の開始から終了までに要する時間（ｔ０）、総フレーム数（ｆ０）等を記憶している。
画像プロセス部３は、図示しない感光体ドラム、帯電器、現像器、露光部等から構成され、制御部１０又は画像読取部７から入力された印刷用の画像データに基づき、給紙部４から供給される記録シートとしての用紙に画像を形成することにより印刷処理を実行する。給紙部４は、制御部１０からの指示に応じて記録シートとしての用紙を画像プロセス部３に供給する。定着装置５は、制御部１０からの指示に応じて記録シートとしての用紙に形成された画像を、当該用紙に熱定着させる。
【００４３】
操作パネル６は、図示しない複数の入力キーと液晶表示部を備え、液晶表示部の表面にはタッチパネルが積層されている。タッチパネルからのタッチ入力又は入力キーからのキー入力により、ユーザーからの操作（タッチ入力操作、キー入力操作）を受付けることにより、ユーザーから各種の指示（例えば、印刷処理実行指示、アニメーション再生表示指示等）を受取り、制御部１０に通知する。
【００４４】
画像読取部７は、図示しないスキャナなどの画像入力装置から構成され、用紙等の記録シートに記載されている文字や図形などの情報を読取り、画像データを形成する。
割込み表示イベント監視部８は、操作パネル６に割込み表示をさせて、ユーザーに異常の発生を報知することが必要なイベント（以下、「割込み表示イベント」という。）の発生を監視し、割込み表示イベントが発生した場合に操作パネル制御部１０４に割込み表示イベント発生通知を送信する。
【００４５】
ここでは、「割込み表示イベント」として、記録シートの用紙切れ、ジャム、現像機内のトナー切れや、画像形成装置１の扉が開いていること等のイベントが監視される。
具体的には、表示イベント監視部８は、図６に示すように、ペーパーエンプティセンサー８１、ジャムセンサー８２、トナーエンプティセンサー８３、扉センサー８４を用いて、割込み表示イベントの発生を監視する。
【００４６】
ペーパーエンプティセンサー８１は、給紙部４に設けられ、給紙部４に収容されている記録シートの有無を検知するためのセンサーである。ジャムセンサー８２は、記録シートが搬送経路中で詰まったことを検知するためのセンサーであり、搬送経路中に複数個所、設けられている。トナーエンプティセンサー８３は、現像器内のトナーの有無を検知するためのセンサーである。又、扉センサー８４は、画像形成装置１の扉の開閉を検知するためのセンサーである。
【００４７】
［２］アニメーション再生表示制御処理
図７は、操作パネル制御部１０４が行うアニメーション再生表示制御処理の動作を示すフローチャートである。操作パネル６からアニメーション再生表示指示が入力されると（ステップＳ７０１）、操作パネル制御部１０４は、画像メモリ１０６から対応するアニメーションのフレームのフレーム画像データをフレーム番号の昇順に順次読み出して操作パネル６に再生表示させて当該アニメーションの表示処理を開始する（ステップＳ７０２）。
【００４８】
そして当該アニメーションの再生表示中に割込み表示イベントが発生し、割込み表示イベント監視部８から割込み表示イベント発生通知を受信すると（ステップＳ７０３：ＹＥＳ、ステップＳ７０４：ＮＯ）、操作パネル制御部１０４は、後述するアニメーション再生表示停止処理を実行し（ステップＳ７０５）、当該再生表示中に割込み表示イベントが発生することなく（ステップＳ７０３：ＮＯ）、当該再生表示が終了した場合には（ステップＳ７０４：ＹＥＳ）、アニメーション再生表示制御処理を終了する。
【００４９】
次に操作パネル６から割込み解除指示を受け取ると（ステップＳ７０６：ＹＥＳ）、操作パネル制御部１０４は、後述するアニメーション再生表示開始処理を実行する（ステップＳ７０７）。
図８は、アニメーション再生表示停止処理の動作を示すフローチャートである。操作パネル制御部１０４は、割込み表示イベントが発生したか否かを示す「割込み表示イベント発生フラグ」を、当該イベントが発生したこと示す「オン」に設定し（ステップＳ８０１）、ステップＳ７０２において開始したアニメーションの再生表示を停止して、実行中の当該アニメーションの表示処理を中断し（ステップＳ８０２）、アニメーションの表示処理が中断中であるか否かを示す「実行中断中フラグ」を、中断中であることを示す「オン」に設定する（ステップＳ８０３）。
【００５０】
次に、操作パネル制御部１０４は、当該アニメーションの再生表示停止時の当該アニメーションの再生表示の進捗度（Ｐ）を算出して、Ｐから停止フレームを特定して停止フレーム位置を保持し（ステップＳ８０４）、受信した割込み表示イベント発生通知に対応する割込み画像データを画像メモリ１０６から読み出して、操作パネル６に割込み表示をする（ステップＳ８０５）。
【００５１】
図９は、アニメーション再生表示開始処理の動作を示すフローチャートである。操作パネル制御部１０４は、「割込み表示イベント発生フラグ」を、割込み表示イベントの発生が解除されたことを示す「オフ」に設定し（ステップＳ９０１）、表示中の割込み表示を非表示にする（ステップＳ９０２）。
次に、操作パネル制御部１０４は、「実行中断中フラグ」を参照して、当該フラグが「オン」に設定されており、アニメーションの表示処理が中断中である場合には（ステップＳ９０３：ＹＥＳ）、表示処理を中断中のアニメーションが「プログレッシブバー」であるか否かを判定する（ステップＳ９０４）。
【００５２】
当該中断中のアニメーションが「プログレッシブバー」である場合には（ステップＳ９０４：ＹＥＳ）、操作パネル制御部１０４は、当該アニメーションに係るファイル転送処理における、現時点までのファイルのダウンロードの進行度（Ｑ）を算出して取得し（ステップＳ９０５）、取得した進行度（Ｑ）が、１００％未満であるか否かにより、ダウンロード実行中であるか否かを判定する（ステップＳ９０６）。
【００５３】
そして、Ｑが１００％未満でなく、当該ダウンロードが完了している場合に（ステップＳ９０６：ＮＯ）、操作パネル制御部１０４は、ステップＳ８０４において算出したＰが、閾値（ここでは、例えば、２０％とする。）を超えているか否かを判定する（ステップＳ９０７）。
閾値は、アニメーションの進捗度が閾値に相当するフレームの位置（フレーム画像データのフレーム番号）からアニメーションの再生表示を開始して最終フレームまで表示処理を行った場合においても、ユーザーのアニメーションの内容の把握に支障が生じない、アニメーションの進捗度の上限値に設定される。当該閾値は、予め画像形成装置１の製造者側において、試験等を行うことにより決定される。
【００５４】
ステップＳ９０７の判定結果が肯定的である場合（ステップＳ９０７：ＹＥＳ）、操作パネル制御部１０４は、中断中のアニメーションの再生表示開始フレームを、当該アニメーションを構成するフレームの内、再生表示順が先頭のフレームに決定し（ステップＳ９０８）、ステップＳ９０７の判定結果が否定的である場合には（ステップＳ９０７：ＮＯ）、再生表示開始フレームを停止フレームに決定する（ステップＳ９０９）。
【００５５】
さらに、操作パネル制御部１０４は、中断中のアニメーションが、「プログレッシブバー」である場合に（ステップＳ９１０：ＹＥＳ）、当該アニメーションの再生表示停止時までの平均表示処理速度（Ｆａｖ）を算出し、選択可能なフレームレートから、Ｆａｖより大きい最小のフレームレートを選択し（ステップＳ９１１）、選択したフレームレートで、決定した再生表示開始フレームから最終フレームまで当該アニメーションの「早送り再生表示」を実行する（ステップＳ９１２）。
【００５６】
一方、中断中のアニメーションが、「プログレッシブバー」でない場合には（ステップＳ９１０：ＮＯ）、操作パネル制御部１０４は、決定した再生表示開始フレームから最終フレームまで、デフォルトのフレームレートで当該アニメーションの再生表示を実行する（ステップＳ９１３）。
又、Ｑが１００％未満で、ダウンロード実行中である場合には（ステップＳ９０６：ＹＥＳ）、操作パネル制御部１０４は、ファイルのダウンロードの現在の進行度（Ｑ）及びファイルのダウンロードの開始から現在の進行度（Ｑ）に至るまでの経過時間（ｔｓ）に基づいて、ファイルのダウンロードが完了するまでの予測残り時間（ｔｒ）を算出するとともに、ステップＳ８０４において算出したＰから、中断中のアニメーションの残りのフレーム数（Ｆｒ）を算出する（ステップＳ９１４）。
【００５７】
さらに、操作パネル制御部１０４は、表示処理中断中のアニメーションの再生表示を開始後、ファイルのダウンロードが完了するまでに、当該アニメーションの示す進行状態（ファイルのダウンロードの進行度）が、現在実行中（進行中）のファイルのダウンロードの進行度に追いつくことが可能となるように、選択可能な表示処理速度（フレームレート）から、Ｆｒ／ｔｒ以上となる最小のフレームレートを選択し（ステップＳ９１５）、選択したフレームレートで、停止フレームから当該アニメーションの再生表示を開始して「追いかけ再生表示」を実行する（ステップＳ９１６）。
【００５８】
そして、操作パネル制御部１０４は、再生表示中のアニメーションの進捗度とファイルのダウンロードの進行度を監視し、フレーム位置特定テーブルを参照して当該アニメーションの再生表示フレームの位置（フレーム画像データのフレーム番号）が、監視しているダウンロードの進行度に対応するフレームの位置（以下、「ダウンロード進行位置」という。）に到達したか否かを判定し（ステップＳ９１７）、ダウンロード進行位置に到達した場合には（ステップＳ９１７：ＹＥＳ）、実行中のファイルのダウンロード速度に応じたフレームレートで最終フレームまで再生表示を実行する（ステップＳ９１８）。
【００５９】
このように、本実施の形態では、アニメーションの再生表示中に割込み表示イベントが発生して割込み表示がされた場合に、割込み表示中にアニメーションの表示処理が進行しないように当該表示処理が停止され、割込み表示が解除された後、再生表示開始フレームが、停止フレームよりも再生表示順が後ろにならないように、再生表示開始フレームが決定され、決定された再生表示開始フレームからアニメーションの再生表示が開始されるように制御される。
【００６０】
従って、ユーザーは、割込み表示解除後、アニメーションの表示内容の一部を見逃すことなく、アニメーションを視聴することができ、アニメーション全体の内容を把握することができる。その結果、割込み表示後もアニメーションの再生表示が進行して、割込み表示が解除された時には、既に当該再生表示が終了していたり、アニメーションの再生表示が終了間際まで進行していて瞬時に当該再生表示が終了してしまったりして、ユーザーがアニメーション全体の内容を把握することができず、アニメーションの視聴におけるユーザーの利便性が損なわれるという事態が生じないようにすることができる。
【００６１】
さらに、割込み表示イベント発生時に再生表示されているアニメーションが、「プログレッシブバー」のように、ファイルのダウンロードの進行状態を示すアニメーションである場合には、割込み表示解除時に当該ダウンロードが実行中の場合には、当該アニメーションの示す進行状態（ファイルのダウンロードの進行度）が、当該ダウンロードが完了するまでに現在進行中の当該ダウンロードの進行度に到達できるように、割込み表示解除後、停止フレームから追いかけ再生表示が実行されるので、アニメーションの再生表示の停止期間を設けたことに起因する、アニメーションの再生表示する当該ダウンロードの進行度と、実際の当該ダウンロードの進行度との間に不一致が生じた状態を、当該ダウンロードが完了するまでに解消し、ユーザーのアニメーションの視聴における利便性をさらに向上させることができる。
【００６２】
又、割込み表示解除時に当該ダウンロードが完了している場合には、当該表示解除後、「プログレッシブバー」のアニメーションが、中断前までの表示処理速度よりも速い表示処理速度で早送り再生表示が実行されるので、ユーザーは、割込み表示解除後に再生表示されるアニメーションの内容を短時間で視聴し終えることができ、迅速にダウンロードが完了したことを確認することができる。
（変形例）
以上、本発明を実施の形態に基づいて説明してきたが、本発明が上述の実施の形態に限定されないのは勿論であり、以下のような変形例を実施することができる。
【００６３】
（１）本実施の形態のアニメーション表示制御処理においては、割込み表示イベント発生時にアニメーションを実行中の場合には、アニメーション再生表示停止処理及びアニメーション再生表示開始処理を実行することとしたが、実行中のアニメーションの種類によっては、両者の処理の実行を抑止することとしてもよい。
例えば、アニメーションが、ユーザーのスクロール操作に応じて動くスクロールアニメーションの場合には、ユーザーがスクロール操作により、アニメーションの再生表示フレームを所望の進捗度の位置（フレーム画像データのフレーム番号）まで進捗させるので、割込み表示解除後にアニメーションの再生表示停止時の進捗度に応じてアニメーションの表示開始フレームが決定され、決定された表示開始フレームの位置が進捗させた位置から変更されてしまうと、かえってユーザーの利便性が損なわれてしまうからである。
【００６４】
（２）本実施の形態では、再生表示されるアニメーションを、「バルーンアニメーション」、「スライドアニメーション」、「プログレッシブバー」の３種類としたが、再生表示されるアニメーションは、上記の３種類に限定されないことは、勿論のことである。
例えば、外部サーバーからダウンロードしたアニメーションについても、本実施の形態のアニメーション表示制御処理を適用することとしてもよい。
【００６５】
又、「プログレッシブバー」は、本実施の形態では、所定の処理の進行状態としてファイル転送処理におけるファイルのダウンロードの進行状態を示すこととしたが、「所定の処理」は、ファイル転送処理に限定されず、時間の経過とともに、処理が進行する処理であれば、他の処理であってもよい。例えば、印刷処理の進行状態を示すこととしてもよい。
【００６６】
又、所定の処理の進行状態を示すアニメーションは、「プログレッシブバー」のように、バーの長さで進行状態を示すアニメーションに限定されず、他の形式で所定の処理の進行状態を示すアニメーションであってもよい。例えば、円グラフで所定の処理の進行状態を示すアニメーションであってもよいし、所定の処理の進行に応じてアニメーションのキャラクタの表示が徐々に消えてゆくようなアニメーションであってもよい。
【００６７】
（３）本実施の形態のアニメーション表示制御処理においては、再生表示開始フレームを決定するための閾値をアニメーションの種類に関わらず同じ値としたが、アニメーションの種類毎に閾値を設定することとしてもよい。アニメーションの種類によってアニメーションの進捗度に応じたユーザー側の内容の把握の容易度に差が生じ得るからである。これにより、アニメーションの内容に応じて再生表示開始フレームを適切に決定することができ、ユーザー側の割込み表示解除後のアニメーションの視聴の利便性をより向上させることができる。
【００６８】
（４）本実施の形態のアニメーション表示制御処理においては、閾値を超えた場合の再生表示開始フレームを先頭のフレームとしたが、当該再生表示開始フレームは、ユーザーが、割込み表示の解除後、アニメーションの表示内容の一部を見逃すことなく、アニメーションの内容の把握の容易性が維持されるフレーム（先頭のフレームから進捗度が閾値に相当するフレームまでの範囲にあるフレーム）であればよく、先頭のフレームに限定されない。
【００６９】
例えば、先頭のフレームに替えてアニメーションの進捗度が２０％に相当するフレームを再生表示開始フレームとして決定することとしてもよい。又、アニメーションの種類に応じて当該再生表示開始フレームとなるフレームが異なるように設定しておくこととしてもよい。
（５）本実施の形態では、「追いかけ再生表示」の表示処理速度を、選択可能な表示処理速度（フレームレート）の中から、Ｆｒ／ｔｒ以上となる最小のフレームレートを選択することとしたが、ユーザーのアニメーションの内容の把握に支障がない範囲であれば、最小のフレームレートに限定されず、それよりも大きいフレームレートを選択することとしてもよい。
【００７０】
「早送り再生表示」の表示処理速度についても同様に、最小のフレームレートに限定されず、それよりも大きいフレームレートを選択することとしてもよい。
（６）本実施の形態では、アニメーション表示制御処理を画像形成装置について適用した場合について説明したが、当該アニメーション表示制御処理は、アニメーションの再生表示機能と割込み表示イベント発生時に割込み表示をする機能を有する画像処理装置であれば、適用することができ、当該適用範囲は、画像形成装置に限定されない。
【産業上の利用可能性】
【００７１】
本発明は、ユーザー操作に応じてアニメーションを再生表示し、アニメーション再生表示中に割込み表示を要するイベントが発生した場合に、当該イベントに対応する割込み表示を行う画像処理装置における、アニメーションの再生表示を制御する技術として利用できる。
【符号の説明】
【００７２】
１                      画像形成装置
３                      画像プロセス部
４                      給紙部
５                      定着装置
６                      操作パネル
７                      画像読取部
８                      割込み表示イベント監視部
１０                    制御部
１０１                  通信Ｉ／Ｆ部
１０２                  ＲＯＭ
１０３                  ＲＡＭ
１０４                  操作パネル制御部
１０５                  ダウンロード実行部
１０６                  画像メモリ
１０７                  フレーム位置特定テーブル記憶部
１０８                  アニメーション情報記憶部
【図１】
0006398441.tif 000002
【図２】
0006398441.tif 000003
【図３】
0006398441.tif 000004
【図４】
0006398441.tif 000005
【図５】
0006398441.tif 000006
【図６】
0006398441.tif 000007
【図７】
0006398441.tif 000008
【図８】
0006398441.tif 000009
【図９】
0006398441.tif 000010